(57)【要約】      （修正有）【課題】扇風機と組み合わせることができ、且つ優れた適用性を具備させることができる扇風機用台座を提供する。【解決手段】扇風機用台座は、相対する２つの当接面１１と、中央に扇風機の底端を挿し込むことができるスリーブ孔１２とを有する環形体のスリーブ部１と、スリーブ部１に枢設されるクリップ部２とを備える。クリップ部２は第一クリップ片２１、第二クリップ片２２を有し、第一クリップ片２１はスリーブ部１に枢設され、第一クリップ片２１、第二クリップ片２２の各一端は枢設部２１１、２２１に枢設される。枢設部２１１、２２１には弾性部材２３が設けられ、弾性部材２３によって第一クリップ片２１、第二クリップ片２２が弾性的に物を挟持可能にされる。第一クリップ片２１、第二クリップ片２２は中央にクリップ穴を有し、またクリップ穴の軸方向の両側に相対する２つの弧形の当接面２１２、２２２を有する。【選択図】図１
0003223536.tif 000002
【実用新案登録請求の範囲】
【請求項１】
相対する２つの当接面と、中央に扇風機の底端を差し込むことができるスリーブ孔とを有する円環形のスリーブ部と、
前記スリーブ部に枢設されるクリップ部とを備える扇風機用台座。
【請求項２】
前記クリップ部は第一クリップ片と第二クリップ片とを有し、
前記第一クリップ片は前記スリーブ部に枢設され、
前記第一クリップ片の一端と前記第二クリップ片の一端とは枢設部で第一枢設部材により枢設され、
前記枢設部には弾性部材が設けられ、且つ前記弾性部材の弾性力によって前記第一クリップ片の他端と前記第二クリップ片の他端とが互いに当接して弾性的に物を挟持可能にされており、
このとき、前記第一クリップ片と前記第二クリップ片は、中央にクリップ穴を有し、また前記第一クリップ片と前記第二クリップ片とは、前記クリップ穴の軸方向の両側に相対する２つの当接面を有している請求項１に記載の扇風機用台座。
【請求項３】
前記第一クリップ片及び前記第二クリップ片の幅は前記スリーブ部の幅と対応しており、且つ前記スリーブ部の前記当接面と前記第一クリップ片と前記第二クリップ片の各前記当接面のうち同じ側にある各前記当接面同士は共面を呈することができることを特徴とする、請求項２に記載の扇風機用台座。
【請求項４】
前記第一クリップ片及び前記第二クリップ片の内側に滑り止めパッドが設けられることを特徴とする、請求項２に記載の扇風機用台座。
【請求項５】
前記第二クリップ片に、前記第一クリップ片と前記第二クリップ片を手で開閉し易くすることができる凸部が設けられることを特徴とする、請求項２に記載の扇風機用台座。
【請求項６】
前記第一クリップ片及び前記第二クリップ片の各内側に突起体が突設されることを特徴とする、請求項２に記載の扇風機用台座。
【請求項７】
前記スリーブ部に前記スリーブ孔の半径方向に対応する第一枢設孔が設けられ、また前記第一クリップ片に第二枢設孔が設けられ、且つ第二枢設部材によって前記スリーブ部の前記第一枢設孔と前記第一クリップ片の前記第二枢設孔とは枢設されることを特徴とする、請求項２に記載の扇風機用台座。
【請求項８】
前記第一クリップ片及び前記第二クリップ片はそれぞれ円弧形体であり、且つ前記第一クリップ片と前記第二クリップ片が開かれるときに前記クリップ穴が半円形を呈することを特徴とする、請求項２に記載の扇風機用台座。
【請求項９】
前記クリップ部は、前記扇風機の上側に配置可能である請求項１に記載の扇風機用台座。
【考案の詳細な説明】
【技術分野】
【０００１】
本考案は、扇風機と組み合わせることができ、且つ扇風機の優れた適用性を向上できる扇風機用台座に関する。
【背景技術】
【０００２】
従来の扇風機は通常、送風体の下方に円盤状の台座が設置され、且つ台座によって地面、テーブル表面又は適当な平面に置くことができ、送風体に冷風を身体に向かって送風させることができる。
【０００３】
しかし、上述の円盤状の台座を備えた扇風機は体積が比較的大きく、携帯するのにやや不便であり、且つ平面上でなければ扇風機を立てて置くことができず、台座の置き場所を提供できない場合には扇風機が使用困難となるという欠点があった。
【０００４】
また、現在、小型扇風機にはクリップ体を組み合わせたものがある。このタイプのものは、クリップ体を適当な物に挟むことで扇風機を固定することができる。
しかし、人が扇風機を使いたい場所にクリップ可能な物がない場合、扇風機を固定して使用することができないという欠点があった。
【考案の概要】
【考案が解決しようとする課題】
【０００５】
本考案は、扇風機と組み合わせることができ、且つ扇風機の優れた適用性を向上できる扇風機を提供することを目的としている。
【課題を解決するための手段】
【０００６】
本考案の扇風機用台座は、
相対する２つの当接面と、中央に扇風機の底端を差し込むことができるスリーブ孔とを有する円環形または切欠き付きまたはその他環状のスリーブ部と、
前記スリーブ部に枢設されるクリップ部とを備える。
クリップ部は第一クリップ片と第二クリップ片とを有する。
第一クリップ片はスリーブ部に枢設される。
第一クリップ片の一端と第二クリップ片の一端は枢設部で第一枢設部材により枢設される。
枢設部には弾性部材が設けられ、且つ弾性部材の弾性力によって第一クリップ片の他端と第二クリップ片の他端とが互いに当接して弾性的に物を挟持可能にされている。
このとき、第一クリップ片と第二クリップ片は、中央にクリップ穴を有し、また第一クリップ片と第二クリップ片とは、クリップ穴の軸方向の両側に相対する２つの当接面を有している。
【０００７】
さらに、クリップ片の幅はスリーブ部の幅と対応しており、且つスリーブ部の当接面と第一クリップ片と第二クリップ片の各当接面のうち同じ側にある各当接面動詞は共面を呈することができる。
【０００８】
さらに、第一クリップ片と第二クリップ片の内側に滑り止めパッドが設けられ、また第一クリップ片に、第一クリップ片と第二クリップ片とを手で開閉し易くすることができる凸部が設けられている。
【考案の効果】
【０００９】
本考案の実施においては、扇風機用台座のスリーブ部とクリップ部の当接面をテーブル表面又は他の平面部分に置き、扇風機の底部をスリーブ部のスリーブ孔に挿して置くことで固定することができる。また、扇風機の下方をスリーブ部のスリーブ孔に挿通し、且つクリップ部の第一クリップ片と第二クリップ片とで他の物を挟持して固定することができる。さらに、スリーブ部はクリップ部に対応して回転することができ、扇風機に適当な角度で送風させることができる。
【００１０】
本考案は、普段はクリップ部の第一クリップ片と第二クリップ片で扇風機の上方を挟んでおくことができ、且つ体積を減らして携帯し易くすることができる。また、スリーブ部のスリーブ孔に紐を通し、連結してぶら下げることもでき、且つスリーブ部を回転させることで扇風機に適当な角度で送風させることができる。
【図面の簡単な説明】
【００１１】
【図１】本考案の分解斜視図である。
【図２】本考案の組立斜視図である。
【図３】本考案を平面上に置いたときの概略を示す斜視図である。
【図４】本考案を棒状のものに固定したときの概略を示す斜視図である。
【図５】本考案をカップに設置したときの概略を示す斜視図である。
【図６】本考案のクリップ部で扇風機を挟む動作の概略を示す斜視図である。
【図７】本考案をぶら下げて使用するときの概略を示す斜視図である。
【考案を実施するための形態】
【実施例１】
【００１２】
図１〜図３を参照する。本考案の扇風機用台座は、スリーブ部１、クリップ部２を含む。スリーブ部１は環形体であり、相対する２つの円形当接面１１を有し、中央には扇風機３の底端を挿し込むことができるスリーブ孔１２を有する。またスリーブ部１にはスリーブ孔１２の半径方向に対応する枢設孔１３が設けられる。
【００１３】
クリップ部２はスリーブ部１と枢設し、相対して開閉可能な第一クリップ片２１、第二クリップ片２２を有する。そのうち第一クリップ片２１に枢設孔２１０を設け、且つ枢設部材７によってスリーブ部１の枢設孔１３に枢設する。また第一クリップ片２１、第二クリップ片２２は円弧形体であり、各々の一端に枢設部２１１、２２１が設けられ、且つ枢設部材２４によって枢設され、且つ第一クリップ片２１、第二クリップ片２２の間の枢設部２１１、２２１と対応する位置に弾性部材２３が設けられる。弾性部材２３はトーションばねであり、中央に枢設部材２４が挿通され、且つ両端はそれぞれ第一クリップ片２１、第二クリップ片２２に当接し、弾性部材２３によって第一クリップ片２１、第二クリップ片２２が弾性的に物を挟持可能にする。第一クリップ片２１、第二クリップ片２２は中央にクリップ穴２５を有し、且つクリップ穴２５は開かれるときに略半円形体を呈することができる。
【００１４】
また、第一クリップ片２１、第二クリップ片２２は、クリップ穴２５の軸方向に対応する両側それぞれに相対する弧形当接面２１２、２２２を有し、第一クリップ片２１、第二クリップ片２２の幅はスリーブ部１の幅にほぼ対応している。スリーブ部１の当接面１１と第一クリップ片２１、第二クリップ片２２の当接面２１２、２２２は共面を呈することができ、また第一クリップ片２１、第二クリップ片２２の内側に滑り止めパッド２１３、２２３が設けられ、また第一クリップ片２２に手で動かし易くすることができる凸部２２４が設けられ、また第一クリップ片２１、第二クリップ片２２の内側には、扇風機３に引っ掛けることができる突起体２１４、２２５が突設されている。
【００１５】
図３を参照する。本考案の実施においては、使用者は扇風機用台座のスリーブ部１とクリップ部２の当接面１１、２１２、２２２をテーブル表面又は他の平面部分に置き、扇風機３の底部をスリーブ部１のスリーブ孔１２に挿して置くことで位置を固定することができ、このとき、比較的大きな面積のスリーブ部１及びクリップ部２が扇風機３を同時に支えることで、優れた安定性を持たせている。
【００１６】
図２、図４及び図５を参照する。本考案は、扇風機３の下方をスリーブ部１のスリーブ孔１２に挿通し、且つクリップ部２の第一クリップ片２１、第二クリップ片２２で棒体４又はカップ５を挟むことができ、またスリーブ部１はクリップ部２に対応して回転することができ、扇風機３の送風体に適当な角度で送風させることができる。
【００１７】
図６を参照する。本考案は、普段はクリップ部２の第一クリップ片２１、第二クリップ片２２で扇風機３の上方を挟んでおくことができ、且つ体積を減らして携帯し易くすることができ、本実施例における扇風機３の上方は円形体であり、且つ突起体２１４、２２５と引っ掛かり合うことができる突起縁３１を有するが、扇風機３の上方を他の形状にして挟めるようにしてもよい。また図７に示す通り、スリーブ部１のスリーブ孔１２を紐６と連結するために供してぶら下げることができ、且つスリーブ部１を回転させて扇風機３に適当な角度で送風させるようにすることができる。
【００１８】
本考案は、上述のように、扇風機の使い勝手をより良くする便利な機能を提供することができるが、上述の実施例は本考案を例示するものであり、決して本考案を限定するものではなく、本考案の精神に基づく本考案と同等の効果が得られる改変はすべて本考案の範囲に属する。
【符号の説明】
【００１９】
１  ・・・スリーブ部
１１  ・・・当接面
１２  ・・・スリーブ孔
１３  ・・・第一枢設孔
２  ・・・クリップ部
２１  ・・・第一クリップ片
２１０  ・・・第二枢設孔
２１１  ・・・枢設部
２１２  ・・・当接面
２１３  ・・・滑り止めパッド
２１４  ・・・突起体
２２  ・・・第二クリップ片
２２１  ・・・枢設部
２２２  ・・・当接面
２２３  ・・・滑り止めパッド
２２４  ・・・凸部
２２５  ・・・突起体
２３  ・・・弾性部材
２４  ・・・第一枢設部材
２５  ・・・クリップ穴
３  ・・・扇風機
３１  ・・・突起縁
４  ・・・棒体
５  ・・・カップ
６  ・・・紐
７  ・・・第二枢設部材
【図１】
0003223536.tif 000003
【図２】
0003223536.tif 000004
【図３】
0003223536.tif 000005
【図４】
0003223536.tif 000006
【図５】
0003223536.tif 000007
【図６】
0003223536.tif 000008
【図７】
0003223536.tif 000009